(57)【要約】　
【課題】　
スーツケースの収納部にワイヤ錠を付設することによって、ワイヤにより収納部を施錠できるようにするとともに、スーツケース本体を柱状固定物に繋留して盗難を防ぎ、また、アウトハンガーと称して、他の鞄等の小荷物を一緒にワイヤで吊るして運搬できるようにするものであって、そのために、ワイヤ錠をハンドルケース内に装着する各種の形態を提供する。
【解決手段】
ハンドルケースＨ内にワイヤ錠Ｋを装着したスーツケースであって、上記ワイヤ錠Ｋは施錠機構Ｌと容器Ｍとから構成され、上記ハンドルケースＨ内に凹設した空間に上記ワイヤ錠Ｋを嵌込むとともに、上記ワイヤ錠Ｋを覆うように、上記ハンドルケースＨに蓋Ｎを形設してなることを特徴とするスーツケース。
【選択図】図５
0003099512.tif 000002
【実用新案登録請求の範囲】
【請求項１】
ハンドルケースＨ内にワイヤ錠Ｋを装着したスーツケースであって、上記ワイヤ錠Ｋは施錠機構Ｌと容器Ｍとから構成され、上記ハンドルケースＨ内に凹設した空間に上記ワイヤ錠Ｋを嵌込むとともに、上記ワイヤ錠Ｋを覆うように、上記ハンドルケースＨに蓋Ｎを形設してなることを特徴とするスーツケース。
【請求項２】
上記ワイヤ錠Ｋが施錠機構Ｌのみから構成される請求項１記載のスーツケース。
【考案の詳細な説明】
【技術分野】
【０００１】
この考案は、盗難防止および他の小荷物と一緒に運搬する機能を兼ね備えたスーツケースに関する。詳しくは、スーツケースの収納部にワイヤ錠を付設することによって、ワイヤにより収納部を施錠することができるようにするとともに、スーツケース本体を柱状固定物に繋留して盗難を防ぎ、また、アウトハンガーと称して、他の鞄等の小荷物を一緒にワイヤで吊るして運搬できるようにするものであって、そのために、ワイヤ錠をスーツケース本体に装着する各種の形態を提供する。
【背景技術】
【０００２】
旅行用のスーツケースは、通常、スーツケースの中の荷物を盗難から守るために施錠する。この種のスーツケースは容易に持ち運びできる大きさであり、最近では、持ち運びが楽なように、キャスター付きのスーツケースが多く見られる。この様な状況のため、スーツケースの中の荷物はもとより、スーツケース本体諸とも、盗難の対象になり易い。
【０００３】
一方、スーツケースに取り付けられている錠は、南京錠に代表されるように、施錠、開錠する都度、キー穴にキーを差し込んで回すことによって、錠のロック部材を係、脱位置に変位させる方式が一般的である。あるいは、キー操作に代えて、施錠機構を構成する回転部材またはスライド部材を操作して、刻印されたダ゛イヤルの数字を合わせることにより、施錠、開錠できる様に構成されている。また、最近では、電子ロックと称される非接触式の施錠機構を備えたスーツケースも見られる。
【考案の開示】
【考案が解決しようとする課題】
【０００４】
しかしながら、これらの施錠手段には、一長一短がある。キーをキー穴に差し込んで廻す操作は面倒である。そして、差し込んだキーを抜き取り忘れることも稀ではない。さらには、抜き取ったキーの保管場所を忘れ、開錠できないこともある。また、スーツケースを施錠し、用達のため仮置きしたまま、その場を離れた時に、スーツケースもろとも持ち去られることもある。また、電子ロックの場合は、ＩＤカード等の無線キーの保管場所を忘れたり、紛失することさえあり問題があった。
【０００５】
本考案は、上記事情に鑑みて、スーツケース本体のハンドルケース内にワイヤ錠を装着するものである。このことによって、キーの紛失を防ぎ、そして、ワイヤにより収納部を施錠できるとともに、ワイヤによりスーツケース本体を柱状固定物に繋留して盗難を防ぎ、また、他の小荷物を一緒に運搬する機能を備えたスーツケースを提供することを目的とする。即ち、以下のような、盗難防止と運搬の機能を兼ね備えるようにするために、ワイヤ錠をスーツケース本体に付設する各種の形態を提供する。
（１）　収納部のジッパーを施錠し、開くことができないようにして、中の荷物を盗難から守る。
（２）　スーツケースを仮置きしてその場を離れる時は、傍のフェンス、柱、柵あるいは、持ち運びできない重量物等の柱状固定物に、スーツケースを繋留することにより盗難から守る。
（３）　アウトハンガーと称して、他の荷物と一緒に吊るして一度に運搬する。
【課題を解決するための手段】
【０００６】
上記目的を達成するために、請求項１の考案は、ハンドルケースＨ内にワイヤ錠Ｋを装着したスーツケースであって、上記ワイヤ錠Ｋは施錠機構Ｌと容器Ｍとから構成され、上記ハンドルケースＨ内に凹設した空間に上記ワイヤ錠Ｋを嵌込むとともに、上記ワイヤ錠Ｋを覆うように、ハンドルケースＨに蓋Ｎを形設してなることを特徴とするスーツケースである。　
【０００７】
請求項２の考案は、前記ワイヤ錠Ｋが施錠機構Ｌのみから構成されることを特徴とする請求項１記載のスーツケースである。
【考案の効果】
【０００８】
本考案にかかわるスーツケースによれば、スーツケース本体部に錠を付設することに着目したもので、本考案は、ハンドルケースの内部にワイヤ錠を装着するために、各種の形態を提供するものである。その結果、収納部のジッパーをワイヤにより括り、施錠することができるので、スーツケースの中の荷物を盗まれる恐れがない。さらに、スーツケースを仮置きする傍のフェンス、ベンチの脚、柵あるいは、持ち運びできない重量物等の固定物にワイヤを括り通して繋留することにより、スーツケースごと盗難にあうのを防止できる実用性の高いものである。また、他の荷物と一緒にワイヤで吊るして運搬することができる機能を兼ね備えている等の効果を奏するものである。そして、以上のような機能をもたせるために、スーツケースのデッドスペースに錠を付設し、空間を有効に利用できるものである。
【考案を実施するための最良の形態】
【０００９】
本考案の実施の形態を、図１〜図４を参照しながら説明する。図１は、キャスター付きスーツケースの外観図である。本図に示したスーツケース本体１は、ＡＢＳ強化樹脂製等で収納部を形成するハードケースタイプの例である。スーツケース本体１の奥側のヒンジ（図示なし）を軸として、収納部は、身側ケース１Ａと蓋側ケース１Ｂとの二つ割り状に開口される構造である。そして、ヒンジ部から前方部に向かって身側ケース１Ａと蓋側ケース１Ｂを開閉するためのジッパー４が延びている。また、ジッパー４に沿って蓋側ケース１Ａの上方部に、把手２が備えられている。そして、身側ケース１Ａ側で、把手２から肩口部にかけて、ハンドル３を伸縮自在に収納するハンドルケースＨが構成される。本考案は、このハンドルケースＨ内に、従来公知の施錠機構Ｌを内蔵するワイヤ錠Ｋを装着するものである。その他、スーツケース本体１の底には、キャスター５を備える。そして、スーツケース本体１を持ち運ぶ際は、ハンドル３を掴んで引っ張り、キャスター５を転がしながら走行する。
【００１０】
図２は、本考案の実施例に係るワイヤ錠Ｋをスーツケース内に装着した状態を示す説明図であり、図３は、本考案を構成するワイヤ錠Ｋの外観図である。ワイヤ錠Ｋは、従来公知の施錠機構Ｌを内蔵し、その外側を容器Ｍで覆ったものである。容器Ｍの上部に設けた引出口２５から外にワイヤ１２を引き出し、その先端はワイヤを他部位に止めるためのヘッド１２Ａを備えている。通常は、このヘッド１２Ａを容器Ｍの上部に設けた差込口２６へ挿入、係止する使い方をする。そして、容器Ｍの上部にダイヤル盤１１が覗き、容器Ｍの側面部にワイヤ１２のヘッド１２Ａの係止を解くための開錠ボタン１７とワイヤ１２の出入りを解除するトリガー１６を備えている。図４は、内蔵された施錠機構Ｌの詳細説明図である。施錠機構Ｌは、ダイヤル盤１１、ワイヤ１２、ゼンマイ固着軸１３、ゼンマイ１４、ワイヤ１２を巻き戻すための力を蓄える巻取りドラム１５等から構成されている。ここで、ダイヤル盤１１は、特定の数字を合わせると施錠、開錠されるものである。ゼンマイ１４は、一端が巻取りドラム１５の内側のゼンマイ固着軸１３に係止され、他端が巻取りドラム１５を巻戻す方向に付勢し、引き出したワイヤ１２を巻き戻す作用をする。また、巻取りドラム１５の外周には、ラチェット爪１６Ｃと係合するラチェット車１５Ｂの爪が形成されている。このため、トリガー１６を中側へ押し、ラチェット車１５Ｂの爪とラチェット爪１６Ｃとの係合が解除されている間、ゼンマイ１４の復元力によって、巻取りドラム１５が逆回転し、ワイヤ１２が巻き戻される。ここで、トリガー１６の系統は、軸１６Ａを基準に回転するレバー１６Ｂとその先端に軸１６Ｄを基準にして回る継手１８、また、この先端にワイヤロック板１９から構成されている。
【００１１】
次に、上記した施錠機構Ｌの作用を詳細に説明する。図４に示すように、トリガー１６を中側方向へ押すことにより、軸１６Ａを支点としてレバー１６Ｂが上側へ引き上げられる。その時、ワイヤロック板１９の角度が変わってワイヤのロック状態が解除されるので、ワイヤ１２がワイヤ受け２０の孔を自由に通り抜ける。次いで、ワイヤ１２を上へ引っ張ることにより、巻取りドラム１５の外周に幾重にも巻かれているワイヤ１２が、外へ長く引き出される。一方、トリガー１６を中側方向へ押している間、ワイヤ１２を離すと、ラチェット車１５Ｂとラチェット爪１６Ｃとの係合が解除されているので、ゼンマイ１４の復元力によって巻取りドラム１５が逆回転し、外に引き出されたワイヤ１２が巻き戻され、巻取りドラム１５の外周に巻き取られる。
【００１２】
また、引き出されたワイヤ１２の先端のワイヤヘッド１２Ａは、図３に示す差込口２６を経由して、中側の差込孔２２（図４）に止める。このようにして、ワイヤ１２の他端のワイヤヘッド１２Ａは、ワイヤ錠に係止されることになる。一方、ワイヤヘッド１２Ａの係止を解除する場合は、開錠ボタン１７を中側へ押すことにより、差込孔２２から離脱され、差込口２６からワイヤヘッド１２Ａが飛び出る。
【実施例１】
【００１３】
図５は、本考案の第１実施例に係り、ワイヤ錠ＫをハンドルケースＨ内に装着する状態を示す説明図である。ここで、図１に示したように、スーツケース本体１の身側ケース１Ａ側で、把手２から肩口部にかけて、ハンドル３を、伸縮自在に収納するハンドルケースＨが構成される。ハンドルケースＨは、スーツケースの規格部品を採用したもので、中はハンドル３が縦長に入っているだけで隙間がある。そこで、そのスペースにワイヤ錠Ｋを装着するものである。ハンドルケースＨの外側からワイヤ錠Ｋを嵌め込み、そして、その上から覆うように蓋ＮをハンドルケースＨに形設する。図５を参照しながら、詳細について説明する。ハンドルケースＨの中に、伸縮自在にハンドル３の脚３Ａと３Ｂが縦長に組み込まれており、そして、これらの脚の間は、デッドスペースなので、この位置にワイヤ錠Ｋを装着するものである。そのために、ハンドルケースＨ内に、ワイヤ錠Ｋを嵌め込むための凹みＪからなる空間を設ける。凹みＪは、ハンドルケースＨ内の上部位置で、ハンドル３の脚３Ａおよび３Ｂが上下する脚孔３Ｃと３Ｄに挟まれる部位より下方に設ける。この凹みＪの内周側面には、外からワイヤ錠Ｋを操作するために、開錠口１７Ｅとワイヤ操作口１６Ｅが設けられている。これらの位置は、ワイヤ錠Ｋの側面に備えた開錠ボタン１７とトリガー１６の位置に対応する。また、凹みＪの上縁には、蓋Ｎの上部を止めるための係止溝３１と、凹みＪの下縁には、蓋Ｎの下部をネジ止めするための係止孔３３が設けられている。この凹みＪの中へワイヤ錠Ｋを装着し、この上から蓋Ｎで覆う。この蓋Ｎの上端の両側に係止爪３０と下部に係止ネジ穴３２を備えている。同じく、上部の両側にワイヤの引出口２５Ａとワイヤ他端部の差込口２６Ａおよびこれらの間にダイヤル操作窓２９を備え、さらには側面に、開錠口１７Ｆおよびワイヤ操作口１６Ｆを備えている。この蓋Ｎに設けた引出口２５Ａおよび差込口２６Ａの位置は、ワイヤ錠Ｋの引出口２５および差込口２６の位置に対応する。また、係止爪３０と係止溝３１との位置が対応し、係止孔３３に係止ネジ穴３２の位置が対応して蓋ＮがハンドルケースＨに係止される。以上のように、ハンドルケースＨの開錠口１７Ｅとワイヤ操作口１６Ｅおよび蓋Ｎに設けた開錠口１７Ｆとワイヤ操作口１６Ｆの位置は、ワイヤ錠Ｋの開錠ボタン１７およびトリガー１６に重合する位置に形成されている。また、蓋Ｎの引出口２５Ａと差込口２６Ａは、ワイヤ錠Ｋの引出口２５と差込口２６に対応する位置に形成されている。このように、蓋Ｎについては、単にワイヤ錠Ｋを覆うだけでなく、ワイヤ錠Ｋの各機能部位と蓋Ｎに設けた操作口等の位置の対応関係を考慮して、ハンドルケースＨに蓋Ｎを形設したものであって、以下の実施例についても同様である。　　　　　　　　　　　　　　　
【００１４】
つぎに、ハンドルケースＨ内に装着したワイヤ錠Ｋの使い方について、説明する。上記したように、ハンドルケースＨには、ワイヤ錠Ｋを外側から操作するために、開錠口１７Ｅおよびワイヤ操作口１６Ｅを設ける。そして、ワイヤ操作口１６Ｅに指を差しこんでワイヤ錠Ｋのトリガー１６を錠の中側へ押すことにより、ワイヤロック板１９（図４）が解除されるので、引出口２５および引出口２５Ａを介してワイヤ１２を外へ長く引き出すことができる。以下の実施例についても同様である。
【００１５】
一方、図２に示すジッパー４が閉じ寄せられ、両側のジッパーがぶつかった箇所に、スライダー６の先端部に備えたリングが交互に絡み合って輪状のワイヤ通孔７が形成される。このワイヤ通孔７の中へ、ワイヤヘッド１２Ａを貫通させる。ワイヤヘッド１２Ａがワイヤ通孔７を貫通することで、ジッパー４が施錠されることになる。次に、ワイヤヘッド１２Ａをワイヤ差込口２６Ａに挿入し、中の施錠機構Ｌの差込孔２２（図４）に係止させる。そして、最後に、ダイヤル盤１１の数字を設定する。これで、施錠操作を完了する。ダイヤル盤１１の操作は、ダイヤル操作窓２９を介し、スーツケース本体１の外側からできるのでやり易い。
【００１６】
スーツケースは、ジッパー４が施錠されることで、収納部から中の荷物を取り出すことができず、盗難から荷物を守ることができる。また、場合によっては、スーツケースを仮置きする傍のフェンス、ベンチの脚、柵あるいは、持ち運びできない重量物等の柱状固定物にまでワイヤ１２を延長して括り付け、繋留する使い方もある。本人が、ダイヤルの数字を合わせない限り、ワイヤ錠Ｋを開錠して、柱状固定物からワイヤを外すことはできず、スーツケースごと持ち去られるようなことはない。あるいは、他の小荷物にワイヤを通して一緒にワイヤで吊るして運搬するというような盗難防止とは別の便利な使い方もできる。このような使い方ができるように、ワイヤは長い方がよい。
【００１７】
本実施例では、ハンドルケースＨ内に設けた凹みＪに、ハンドルケースＨの外側からワイヤ錠Ｋを装着し、そして、その上から蓋Ｎで覆うように、蓋ＮをハンドルケースＨに形設したものである。ワイヤ錠ＫをハンドルケースＨの外側から装着できるため、顧客が市販のワイヤ錠Ｋを入手し、自由に装着できる利点がある。
【実施例２】
【００１８】
図６は、本考案の第２実施例に係り、ワイヤ錠ＫをハンドルケースＨ内に装着する状態を示す説明図である。本実施例の第１実施例と異なるところは、スーツケース本体の収納部側から、即ち、ハンドルケースＨの内側から、ワイヤ錠Ｋを装着するところにある。ワイヤ錠Ｋを嵌込む上下の位置は、第１実施例と同様で、ハンドルケースＨの上部で、ハンドル３の脚３Ａおよび３Ｂが上下する脚孔３Ｃと３Ｄに挟まれる部位より下方である。そして、ハンドルケースＨ内に装着ネジ孔３５を四箇所設け、そして、これらの位置に対応するように、蓋Ｎに四箇所の装着ネジ通し孔３４を設ける。また、このハンドルケースＨには、引出口２５Ａおよび差込口２６Ａを設け、これらの位置は、ワイヤ錠Ｋの引出口２５および差込口２６の位置に対応するようにする。そして、ハンドルケースＨの内側からワイヤ錠Ｋを、四箇所の上記装着ネジ孔３５の内側に形成された空間に嵌込み、蓋Ｎで覆い、しかる後ネジ止めする。なお、ワイヤ１２をこのハンドルケースＨの外に引き出すための引出口２５Ａと、上記ワイヤの他方の端部を係止するための差込口２６Ａを設け、そして、上記ワイヤ錠Ｋを外側から操作可能にするために、ワイヤ操作口１６Ｅとワイヤの他方の端部を着脱可能にする開錠口１７Ｅ等を設けることも上記第１実施例と同様である。ダイヤル盤１１の操作は、ダイヤル操作窓２９を介し、スーツケース本体１の外側から行う。
【実施例３】
【００１９】
図７は、本考案の第３実施例に係り、ワイヤ錠ＫをスーツケースのハンドルケースＨ内に装着する状態を示す説明図である。本実施例も第２実施例と同様に、ハンドルケースＨの内側からワイヤ錠Ｋを装着する。なお、ワイヤ錠Ｋを嵌込む上下の位置は、第１、第２実施例より、ハンドルケースＨ内の上部寄りで、ハンドル３の脚３Ａおよび３Ｂが上下する脚孔３Ｃと３Ｄに挟まれる部位より上方である。そして、ハンドルケースＨの内側からワイヤ錠Ｋを、四箇所の装着ネジ孔３５の内側に形成された空間に嵌込み、蓋Ｎで覆う。第２実施例と同様に、蓋ＮをハンドルケースＨ内にネジ止め固着するが、二箇所の装着ネジ通し孔３４と形状の異なる二箇所の装着ネジ通し孔３６とを設ける。また、ワイヤをこのハンドルケースＨの外に引き出すための引出口２５Ａと、上記ワイヤの他方の端部を係止するための差込口２６Ａを設け、そして、上記ワイヤ錠Ｋを外側から操作可能にするために、ワイヤ操作口１６Ｅとワイヤ１２の他方の端部を着脱可能にする開錠口１７Ｅ等を設けることも上記第２実施例と同様である。
【００２０】
本実施例はワイヤ錠Ｋを装着するために、位置とスペースに多少の制約を受ける。そのため、第１、第２実施例に比較し、デザイン性が悪くなるが、実用上は問題がない。
【実施例４】
【００２１】
図８は、本考案の第４実施例に係り、ワイヤ錠をスーツケースのハンドルケースＨ内に装着する状態を示す説明図である。本実施例では、ハンドルケースＨの内側から施錠機構Ｌを装着する。本実施例の第１、第２、および第３実施例と異なるところは、ワイヤ錠Ｋから容器Ｍを取り外した形態の施錠機構Ｌのみを直接スーツケースのハンドルケースＨ内に装着するところにある。なお、施錠機構Ｌを嵌込む上下の位置は、第１、第２実施例と同様であり、ハンドルケースＨ内の上部で、ハンドル３の脚３Ａおよび３Ｂが出入する脚孔３Ｃと３Ｄに挟まれる部位より下方である。施錠機構Ｌを装着するため、ハンドルケースＨ側に、装着ネジ孔３５を四箇所設け、そして、これらの位置に対応するように、蓋Ｎに四箇所の装着ネジ通し孔３４を設ける。そして、ハンドルケースＨの内側から施錠機構Ｌを、四箇所の装着ネジ孔３５の内側に形成された空間に嵌込み、蓋Ｎで覆い、四箇所でネジ止め固着する。また、ワイヤをこのハンドルケースＨの外に引き出すための引出口２５Ａと、上記ワイヤの他方の端部を係止するための差込口２６Ａを設け、そして、上記ワイヤ１２を出入可能にするワイヤ操作口１６Ｅとワイヤの他方の端部を着脱可能にする開錠口１７Ｅ等を設けることも上記第３実施例と同様である。
【００２２】
本実施例は、ワイヤ錠Ｋから容器Ｍを取り外した形態の施錠機構Ｌのみを装着するので安価になるとともに、取り付けのスペース、特に厚さ方向が小さくても収まる等の利点がある。なお、本実施例では、施錠機構ＬをハンドルケースＨの内側から装着することで説明したが、第１実施例のようにハンドルケースＨの外側から装着するのでもよい。
【産業上の利用可能性】
【００２３】
通常、スーツケースは、ワイヤの端部のワイヤヘッド１２Ａをスーツケース側に戻して施錠する使い方をする。即ち、スーツケース本体１のジッパー４が閉じ寄せられ、両側のジッパーがぶつかった箇所に、スライダー６の先端部に備えたリングが交互に絡み合う輪状のワイヤ通孔７が形成される。そして、このワイヤ通孔７の中へ、ワイヤヘッド１２Ａを貫通させ、次いで、ワイヤヘッド１２Ａを差込口２６Ａの中に係止させる。このようにして、ジッパー４が施錠されることになる。しかしながら、必ずしもこのような施錠の仕方に限らなくても勿論よい。引き出したワイヤの他方の端部をスーツケース側へ戻さない使い方もある。例えば、引き出したワイヤの他方の端部をフェンス、柱、柵あるいは、持ち運びできない重量物等の柱状固定物に、括ったり、柱状固定物に備えた特定の係止具に繋留する使い方でもよい。あるいは、引き出したワイヤの他方の端部を、クリップで止めたり、施錠機能を備えた例えば南京錠等を使って、着脱可能に柱状固定物に繋留する使い方でもよい。また、引き出したワイヤで他の荷物を一緒に吊るして、スーツケースと一緒に運ぶ使い方も可能である。なお、本考案に係る第１、第２および第３実施例では、ワイヤ錠Ｋを装着することで説明したが、ワイヤ錠Ｋから容器Ｍを取り外した形態の施錠機構Ｌのみを直接に装着することでもよい。また、本考案に係る実施例では、数字ダイヤル式の錠を使って説明したが、ワイヤを備えた錠であれば他の形式でもよい。
【図面の簡単な説明】
【００２４】
【図１】本考案の実施例に係るスーツケース本体の外観図である。
【図２】本考案の実施例に係るワイヤ錠をハンドルケース内に装着した状態を示す説明図である。
【図３】本考案の実施例を構成するワイヤ錠の外観図である。
【図４】本考案の実施例を構成する施錠機構の説明図である。
【図５】本考案の第１実施例に係り、ワイヤ錠をハンドルケース内に装着する状態を示す説明図である。
【図６】本考案の第２実施例に係り、ワイヤ錠をハンドルケース内に装着する状態を示す説明図である。
【図７】本考案の第３実施例に係り、ワイヤ錠をハンドルケース内に装着する状態を示す説明図である。
【図８】本考案の第４実施例に係り、ワイヤ錠をハンドルケース内に装着する状態を示す説明図である。
【符号の説明】
【００２５】
１　スーツケース本体
１Ａ　身側ケース
１Ｂ　蓋側ケース
２　把手
３　ハンドル
３Ａ　脚
３Ｂ　脚
３Ｃ　脚孔
３Ｄ　脚孔
４　ジッパー
５　キャスター
６　スライダー
７　ワイヤ通孔
１１　ダイヤル盤
１２　ワイヤ
１２Ａ　ワイヤヘッド
１３　ゼンマイ固定軸
１４　ゼンマイ
１５　巻取りドラム
１５Ｂ　ラチェット車
１６　トリガー
１６Ａ　軸
１６Ｂ　レバー
１６Ｃ　ラチェット爪
１６Ｄ　軸
１６Ｅ　ワイヤ操作口
１６Ｆ　ワイヤ操作口
１７　開錠ボタン
１７Ｅ　開錠口
１７Ｆ　開錠口
１８　継手
１９　ワイヤロック板
２０　ワイヤ受け
２１　ワイヤガイド孔
２２　差込孔
２５　引出口
２５Ａ　引出口　
２６　差込口
２６Ａ　差込口
２９　ダイヤル操作窓
３０　係止爪
３１　係止溝
３２　係止ネジ孔
３３　係止孔
３４　装着ネジ通し孔
３５　装着ネジ孔
３６　装着ネジ通し孔
Ｈ　ハンドルケース
Ｊ　凹み
Ｋ　ワイヤ錠
Ｌ　施錠機構
Ｍ　容器
Ｎ　蓋　
【図１】
0003099512.tif 000003
【図２】
0003099512.tif 000004
【図３】
0003099512.tif 000005
【図４】
0003099512.tif 000006
【図５】
0003099512.tif 000007
【図６】
0003099512.tif 000008
【図７】
0003099512.tif 000009
【図８】
0003099512.tif 000010